【手続補正書】
【提出日】平成22年6月3日(2010.6.3)
【手続補正１】
【補正対象書類名】特許請求の範囲
【補正対象項目名】全文
【補正方法】変更
【補正の内容】
【特許請求の範囲】
【請求項１】
出力デバイスから出力されたカラーパッチを測色した値に基づき、前記出力デバイスに独立な色空間の信号を前記出力デバイスに従属する色空間の信号に変換するための第１のプロファイルと、前記出力デバイスに従属する色空間の信号を前記出力デバイスに独立な色空間の信号に変換する第２のプロファイルとを更新可能に作成する画像処理方法であって、
プルーフ対象の第１のオリジナル画像信号を減色した色情報を、ターゲットデバイスに依存する色空間の信号を当該ターゲットデバイスに独立な色空間の信号に変換するためのターゲットデバイスプロファイルを用いて変換するステップと、
前記第１のプロファイルにおける前記出力デバイスに独立な色空間の信号の複数の値から、前記変換された前記第１のオリジナル画像信号の減色した色信号それぞれに対し前記デバイスに非依存の色空間において取り囲むデバイス非依存値群を抽出するステップと、
各画素毎の前記抽出結果に従い、決まる値群をカラーチャート画像として生成するステップと
を備えることを特徴とする画像処理方法。
【請求項２】
前記抽出時に、前記減色した色信号に対する前記デバイスに非依存の色空間における距離に基づき点数を蓄積した蓄積点に従い、前記値群を決め、前記カラーチャート画像として生成することを特徴とする請求項１に記載の画像処理方法。
【請求項３】
出力デバイスから出力されたカラーパッチを測色した値に基づき、前記出力デバイスに独立な色空間の信号を前記出力デバイスに従属する色空間の信号に変換するための第１のプロファイルと、前記出力デバイスに従属する色空間の信号を前記出力デバイスに独立な色空間の信号に変換する第２のプロファイルとを更新可能に作成する画像処理装置であって、
プルーフ対象の第１のオリジナル画像信号を減色した色情報を、ターゲットデバイスに依存する色空間の信号を当該ターゲットデバイスに独立な色空間の信号に変換するためのターゲットデバイスプロファイルを用いて変換する手段と、
前記第１のプロファイルにおける前記出力デバイスに独立な色空間の信号の複数の値から、前記変換された前記第１のオリジナル画像信号の減色した色信号それぞれに対し前記デバイスに非依存の色空間において取り囲むデバイス非依存値群を抽出する手段と、
各画素毎の前記抽出結果に従い、決まる値群をカラーチャート画像として生成する手段と
を備えることを特徴とする画像処理装置。
【請求項４】
前記抽出時に、前記減色した色信号に対する前記デバイスに非依存の色空間における距離に基づき点数を蓄積した蓄積点に従い、前記値群を決め、前記カラーチャート画像として生成することを特徴とする請求項３に記載の画像処理装置。
【請求項５】
請求項１に記載の画像処理方法の各ステップをコンピュータに実行させることを特徴とするプログラム。
【手続補正２】
【補正対象書類名】明細書
【補正対象項目名】００１０
【補正方法】変更
【補正の内容】
【００１０】
上記目的を達成するため、本発明は、出力デバイスから出力されたカラーパッチを測色した値に基づき、前記出力デバイスに独立な色空間の信号を前記出力デバイスに従属する色空間の信号に変換するための第１のプロファイルと、前記出力デバイスに従属する色空間の信号を前記出力デバイスに独立な色空間の信号に変換する第２のプロファイルとを更新可能に作成する画像処理方法であって、プルーフ対象の第１のオリジナル画像信号を減色した色情報を、ターゲットデバイスに依存する色空間の信号を当該ターゲットデバイスに独立な色空間の信号に変換するためのターゲットデバイスプロファイルを用いて変換するステップと、前記第１のプロファイルにおける前記出力デバイスに独立な色空間の信号の複数の値から、前記変換された前記第１のオリジナル画像信号の減色した色信号それぞれに対し前記デバイスに非依存の色空間において取り囲むデバイス非依存値群を抽出するステップと、各画素毎の前記抽出結果に従い、決まる値群をカラーチャート画像として生成するステップとを備えることを特徴とする。
【手続補正３】
【補正対象書類名】明細書
【補正対象項目名】００３５
【補正方法】変更
【補正の内容】
【００３５】
ステップS01：
ステップS01でプルーフ対象の画像1006における前処理が行われた画素の色情報をメモリに取り込む。
【手続補正４】
【補正対象書類名】明細書
【補正対象項目名】００３６
【補正方法】変更
【補正の内容】
【００３６】
ステップS02：
ステップS01で取得した色情報（デバイス依存色）をターゲットデバイスプロファイル1102の色変換テーブル1102aを用いて、第１のデバイス非依存色に変換する。第１のデバイス非依存色について、出力デバイスプロファイル1101のデバイス非依存色からデバイス依存色へ変換するテーブル1101aにおいて、当該第１のデバイス非依存色を取り囲むように隣接する第２のデバイス非依存色の値を抽出する。
【手続補正５】
【補正対象書類名】明細書
【補正対象項目名】００３７
【補正方法】変更
【補正の内容】
【００３７】
図５は第2のデバイス非依存色の値、Lab1、Lab2、Lab3、Lab4の抽出態様を示す概念図である。入力Labは、ステップS01で取得した色情報をターゲットデバイスプロファイル1102の色変換テーブル1102aを用いて得られた第１のデバイス非依存色である。出力デバイスプロファイル1101のテーブル1101aにおいて、入力Labを取り囲むように隣接する第2のデバイス非依存色の値、Lab1、Lab2、Lab3、Lab4を抽出する。
【手続補正６】
【補正対象書類名】明細書
【補正対象項目名】００３８
【補正方法】変更
【補正の内容】
【００３８】
ステップS03：
ステップS02で得られた第１デバイス非依存色と、第２のデバイス非依存色との間の距離を求め、その距離に応じて第２のデバイス非依存色に点数を付加する。
【手続補正７】
【補正対象書類名】明細書
【補正対象項目名】００４１
【補正方法】変更
【補正の内容】
【００４１】
ステップS04：
ここまでのステップS01からステップS03で処理した画素が、プレビュー画像１006の全画素中、もしくはユーザが指定した任意の範囲の画素中、における最終画素であるかどうかの判定をする。最終画素である場合、ステップS05へ処理を移す。最終画素でない場合、ステップS08を経て、次の画素についてステップS01からステップS03の処理を継続する。
【手続補正８】
【補正対象書類名】明細書
【補正対象項目名】００４２
【補正方法】変更
【補正の内容】
【００４２】
ステップS05：
出力デバイスプロファイル1101のデバイス非依存色からデバイス依存色へ変換するテーブル1101aにおいて、図７の例のように、蓄積された点数値を得る事ができる。
【手続補正９】
【補正対象書類名】明細書
【補正対象項目名】００４３
【補正方法】変更
【補正の内容】
【００４３】
ステップS06：
近傍テーブル値抽出部A001の処理を終え、チャート画像1007を作成するステップS07に移行するに際して、ユーザインターフェースからの指示によって、得られている情報を元に、テーブル情報を並び替えるなどの処理を行う。
【手続補正１０】
【補正対象書類名】明細書
【補正対象項目名】００４４
【補正方法】変更
【補正の内容】
【００４４】
例えば、ステップS05で確認した蓄積点数値をキーにテーブルを降順に並び替える指示を行うことができる。これによって、プレビュー画像1006の全画素もしくは任意の範囲の画素における、出力デバイスプロファイル1101のテーブル1101aを使用頻度の高い順に並べ替える。このため、プレビュー画像1006に対して影響度の高いテーブルを知る事ができる。